(57)【要約】【課題】グロメットの取り付け開始時における係止部の視認性の向上とその取り付け作業時の挿入力の軽減とを両立させることのできる取り付け作業性に優れたグロメットを提供する。【解決手段】取付孔Ｈより大径の拡径部３２と、パネル部材Ｐに対向する取付面３２ａ側に環状シールリップ部３３と、環状シールリップ部３３の半径方向内方側で取付面３２ａから突出してパネル部材Ｐに係止される第１係止部２５と、環状シールリップ部３３の半径方向内方側で取付面３２ａから突出して環状シールリップ部３３がパネル部材Ｐに接触するときパネル部材Ｐに係止される第２係止部２６と、を備え、第１係止部２５は、環状シールリップ部３３の半径方向内方側で取付面３２ａから突出する基端部２５Ａと、環状シールリップ部３３の半径方向外方側で基端部２５Ａから拡径部３２側に突出する先端部２５Ｂと、を有し、第２係止部２６は第１係止部２５と反対側に配置されている。【選択図】図１
2014212675.tif 000002
【特許請求の範囲】
【請求項１】
パネル部材の取付孔より大径の拡径部を有するとともに前記パネル部材に対向する前記拡径部の取付面側に環状シールリップ部を有する筒状のグロメット本体と、
前記環状シールリップ部の半径方向内方側で前記拡径部の前記取付面から突出し、前記取付孔を通して前記パネル部材に係止される第１係止部と、
前記環状シールリップ部の半径方向内方側で前記拡径部の前記取付面から突出し、前記環状シールリップ部が前記パネル部材に接触するとき前記取付孔を通して前記パネル部材に係止される第２係止部と、
を備えたグロメットであって、
前記第１係止部は、前記環状シールリップ部の半径方向内方側で前記拡径部の前記取付面から突出する基端部と、前記環状シールリップ部の半径方向外方側で前記基端部から前記拡径部側に突出する先端部とを有しており、
前記第２係止部は、少なくとも前記拡径部の中心に対して前記第１係止部と反対側に配置されていることを特徴とするグロメット。
【請求項２】
前記グロメット本体は、前記パネル部材の前記取付孔に挿入される筒状の挿入壁部を有し、該挿入壁部に前記第１係止部及び前記第２係止部が一体に形成されていることを特徴とする請求項１に記載のグロメット。
【請求項３】
前記挿入壁部は、前記拡径部の内方に埋め込まれたフランジ部を有する硬質材料で構成され、
少なくとも前記環状シールリップ部は、前記硬質材料より軟質の弾性材料で構成されていることを特徴とする請求項２に記載のグロメット。
【発明の詳細な説明】
【技術分野】
【０００１】
本発明は、グロメットに関し、詳しくは、車体パネル等のパネル部材に形成した取付孔に装着されたとき、その取付孔に挿通されるワイヤハーネス等を保護するとともに取付孔を水密的に封止するグロメットに関する。
【背景技術】
【０００２】
一般に、車体パネル等のパネル部材には、配線や配管を挿通させる複数の開口が形成されており、ワイヤハーネス等を挿通させる開口は、ワイヤハーネスの保護及び防水のためのグロメットを取り付ける取付孔となっている。
【０００３】
従来のこの種のグロメットとしては、例えば、図５に示すように、ワイヤハーネス（電線群）Ｗが挿通される挿通管部１０４の結合フランジ１１２をグロメット主部１０２の防水リップ１０６の背後に嵌め込むとともに、挿通管部１０４の先端側の前部係止爪１０５Ａ及び後部係止爪１０５Ｂの近傍にシールリング１１８を装着したものが知られている（例えば、特許文献１参照）。
【０００４】
このグロメットでは、前部係止爪１０５Ａを貫通孔１０８の背面側に係合させた状態で、グロメット主部１０２の結合部１１３を貫通孔１０８側に押し込んで、後部係止爪１０５Ｂを貫通孔１０８の外周部に係止させる。これにより、貫通孔１０８の中心と挿通管部１０４の中心とを一致させつつ、グロメット主部１０２と挿通管部１０４とを貫通孔１０８に押し込んで直線的にグロメットを嵌め込む場合よりもグロメットの取り付け作業を容易化できるという利点がある。
【先行技術文献】
【特許文献】
【０００５】
【特許文献１】特開平０８−００７６８８号公報
【発明の概要】
【発明が解決しようとする課題】
【０００６】
しかしながら、上述の従来のグロメットにあっては、前部係止爪１０５Ａと後部係止爪１０５Ｂとが防水リップ１０６よりも径方向内側に設けられ、しかも、防水リップ１０６の径方向外側でかつ作業者側に結合部１１３の周端面が配置されていた。そのため、グロメットの取り付け作業時に、前部係止爪１０５Ａやシールリング１１８等が視認し難くなり、グロメットの取り付け作業を十分に容易化できなかった。
【０００７】
これに対し、挿通管部１０４の結合フランジ１１２及びグロメット主部１０２の結合部１１３を小径にすることで、貫通孔１０８の近傍の視認性を改善することはできる。しかし、その場合、グロメット主部１０２の結合部１１３を小径にして前部係止爪１０５Ａ等の視認性を高めるほど、結合部１１３を貫通孔１０８側に押し込む力、すなわち、グロメットの取り付けのための挿入力が大きくなってしまう。そのため、やはり、グロメットの取り付け作業を十分に容易化することができない。
【０００８】
そこで、本発明は、グロメットの取り付け開始時における係止部の視認性の向上とその取り付け作業時の挿入力の軽減とを両立させることのできる取り付け作業性に優れたグロメットを提供することを目的とする。
【課題を解決するための手段】
【０００９】
本発明に係るグロメットは、上記目的達成のため、パネル部材の取付孔より大径の拡径部を有するとともに前記パネル部材に対向する前記拡径部の取付面側に環状シールリップ部を有する筒状のグロメット本体と、前記環状シールリップ部の半径方向内方側で前記拡径部の前記取付面から突出し、前記取付孔を通して前記パネル部材に係止される第１係止部と、前記環状シールリップ部の半径方向内方側で前記拡径部の前記取付面から突出し、前記グロメット本体の前記環状シールリップ部が前記パネル部材に接触するとき前記取付孔を通して前記パネル部材に係止される第２係止部と、を備えたグロメットであって、前記第１係止部は、前記環状シールリップ部の半径方向内方側で前記グロメット本体の前記取付面から突出する基端部と、前記環状シールリップ部の半径方向外方側で前記基端部から前記拡径部側に突出する先端部とを有しており、前記第２係止部は、少なくとも前記グロメット本体の前記拡径部の中心に対して前記第１係止部と反対側に配置されて構成されている。
【００１０】
この構成により、本発明に係るグロメットは、第１係止部の先端部が環状シールリップ部の半径方向外方側に位置することにより、グロメットの取り付け開始時における第１係止部の視認性を向上することができる。また、本発明に係るグロメットは、パネル部材に取り付ける際に、第１係止部を取付孔に先に通し、その第１係止部を支点にしてグロメットを回転させ、第１係止部の反対側に配置した第２係止部をパネル部材に係止させることができる。この結果、第１係止部の先端部は環状シールリップ部の半径方向外方側にあるため、支点である第１係止部の先端部と力点である第２係止部との距離を長く確保することができ、てこの原理を利用して取付孔に対してグロメットを容易に挿入することができるので、取り付け作業時の挿入力を軽減することができる。
【００１１】
したがって、本発明に係るグロメットは、グロメットの取り付け開始時における係止部の視認性の向上とその取り付け作業時の挿入力の軽減とを両立させることのできる取り付け作業性に優れたグロメットとすることができる。
【００１２】
また、上記構成のグロメットにおいて、前記グロメット本体は、前記パネル部材の前記取付孔に挿入される筒状の挿入壁部を有し、該挿入壁部に前記第１係止部及び前記第２係止部が一体に形成されていてもよい。
【００１３】
この構成により、本発明に係るグロメットは、挿入壁部に第１係止部と第２係止部とを一体的に形成することができ、グロメットの製作コストを減少させつつグロメットの強度を確保することができる。
【００１４】
また、上記構成のグロメットにおいて、前記挿入壁部は、前記拡径部の内方に埋め込まれたフランジ部を有する硬質材料で構成され、少なくとも前記環状シールリップ部は、前記硬質材料より軟質の弾性材料で構成されていてもよい。
【００１５】
この構成により、本発明に係るグロメットは、挿入壁部と一体の第１係止部、第２係止部等及びフランジ部を硬質材料で構成することができる。また、取付孔にグロメットを装着して取付孔よりも外側で環状シールリップ部をパネル部材に当接させた際には、挿入壁部よりも軟質の弾性材料で構成されたシールリップ部をフランジ部で支持することができるので、シール性を確保することができる。
【発明の効果】
【００１６】
本発明によれば、グロメットの取り付け開始時における係止部の視認性の向上とその取り付け作業時の挿入力の軽減とを両立させることのできる取り付け作業性に優れたグロメットを提供することができる。
【図面の簡単な説明】
【００１７】
【図１】本発明の第１の実施の形態に係るグロメットをパネル部材に嵌合した状態を示す断面図である。
【図２】本発明の第１の実施の形態に係るグロメットをパネル部材に嵌合する前の状態を示す断面図である。
【図３】本発明の第１の実施の形態に係るグロメットをパネル部材に嵌合した状態を示す斜視図である。
【図４】他のパネル部材に本実施の形態に係るグロメットを嵌合した状態を示す断面図である。
【図５】従来のグロメットを示す断面図である。
【発明を実施するための形態】
【００１８】
次に、本発明の一実施の形態について図面を参照して説明する。
【００１９】
先ず、構成を説明する。図１ないし図３は、本実施の形態に係るグロメットを示す図である。
【００２０】
図１ないし図３に示すように、グロメット１は、例えば、ポリプロピレン等の硬質材料で構成された電線群挿通部材２と、例えば、合成ゴム（シリコンゴム）又はエラストマー等の電線群挿通部材２よりも軟質の弾性材料で構成されたシール部材３と、から構成される。グロメット１は、パネル部材Ｐの取付孔Ｈに取り付けられる。
【００２１】
パネル部材Ｐは、車体パネル等であり、グロメット１を介して電線群Ｗを挿通させるための取付孔Ｈを有する。取付孔Ｈは、パネル部材Ｐに形成された真円状、又は楕円状や長円状、或いは矩形状の貫通孔である。好ましくは、取付孔Ｈは、図１の図示上下方向に沿って長径な楕円状や長円状、又は矩形状の貫通孔である。取付孔Ｈは、電線群Ｗと取付孔Ｈとの間にグロメット１を取り付けることで水等の異物が侵入しないようにシール性が確保されるようになっている。
【００２２】
電線群挿通部材２は、挿入壁部２１と、フランジ部２２と、第１挿通部２３と、第２挿通部２４と、第１係止部２５と、第２係止部２６と、を一体に有する。
【００２３】
挿入壁部２１は、本実施の形態においては、図３に示すように、略楕円状の取付孔Ｈの開口縁形状と略同一形状の筒状に形成されている。また、挿入壁部２１は、グロメット１がパネル部材Ｐに取り付けられたときに、取付孔Ｈの内周に位置するようになっている。
【００２４】
フランジ部２２は、後述する拡径部３２の内方に埋め込まれるように、第１挿通部２３と挿入壁部２１との間に配置される。フランジ部２２は、その外周縁が取付孔Ｈよりも径方向外側に位置するように拡径して構成され、グロメット１がパネル部材Ｐに装着されたときに、パネル部材Ｐと対向するように構成されている。
【００２５】
第１挿通部２３は、フランジ部２２の径方向内側において挿入壁部２１よりもシール部材３側に配置されている。第１挿通部２３は、略円筒状に構成され、シール部材３の内部からそのまま電線群Ｗが挿通されるようになっている。
【００２６】
第２挿通部２４は、挿入壁部２１に対して第１挿通部２３とは逆側に配置され、パネル部材Ｐと平行に延びるように屈曲した筒形状を有している。これにより、挿入壁部２１から電線群Ｗが屈曲した状態で挿通するようになっている。
【００２７】
第１係止部２５は、基端部２５Ａと先端部２５Ｂとを一体に有する。基端部２５Ａは、図示下方において挿入壁部２１を共有することで後述する環状シールリップ部３３の半径方向内方側で取付面３２ａから突出している。基端部２５Ａは、挿入壁部２１を共有したうえでパネル部材Ｐと平行でかつ環状シールリップ部３３の半径方向外方側に向かって延びている。先端部２５Ｂは、環状シールリップ部３３の半径方向外方側で基端部２５Ａの延在端から拡径部３２側に突出している。
【００２８】
第２係止部２６は、挿入壁部２１の複数箇所に形成されている。第２係止部２６は、環状シールリップ部３３の半径方向内方側で取付面３２ａから突出し、環状シールリップ部３３がパネル部材Ｐに接触するとき取付孔Ｈを通してパネル部材Ｐに係止される。第２係止部２６は、そのうちの一つ、すなわち、図示上方において拡径部３２の中心に対して第１係止部２５と反対側に配置されている。
【００２９】
第２係止部２６は、挿入壁部２１に切り起こし状に一端を残して切り離されて形成されている。第２係止部２６の他端には係合爪２６ａが形成されており、挿入壁部２１の内方に他端が変位可能に構成されている。したがって、第２係止部２６は、グロメット１をパネル部材Ｐに装着するときには、取付孔Ｈの開口縁部に押圧されて挿入壁部２１の内方に一時的に変位する。第２係止部２６は、グロメット１をパネル部材Ｐに取り付けた状態では、他端が取付孔Ｈから抜け出して弾性復帰し、一端の係止爪２６ａが取付孔Ｈの開口縁部に係止するようになっている。
【００３０】
シール部材３は、電線群挿通部材２とパネル部材Ｐとの間のシール性を確保するための部材である。シール部材３は、フランジ被覆部３１と、拡径部３２と、環状シールリップ部３３と、電線群挿入口被覆部３４と、電線群シール部３５と、を有する。
【００３１】
フランジ被覆部３１は、フランジ部２２を埋め込むように被覆する。また、フランジ被覆部３１には、パネル部材Ｐと対向する側に環状シールリップ部３３が一体に形成されている。
【００３２】
環状シールリップ部３３は、拡径部３２及びフランジ被覆部３１からパネル部材Ｐに対向するように環状に突設された蛇腹状に形成されており、パネル部材Ｐに押圧されることによって取付孔Ｈの外周のシール性を確保する。環状シールリップ部３３は、フランジ被覆部３１との間に硬質材料のフランジ部２２が位置することにより、パネル部材Ｐへの押圧力が逃げないようになっている。
【００３３】
電線群挿入口被覆部３４は、フランジ被覆部３１に連続して円筒状に形成され、第１挿通部２３を被覆する。
【００３４】
電線群シール部３５は、電線群挿入口被覆部３４に連続して形成される円筒状のチューブ部材であり、電線群Ｗを被覆してシール性を確保する。電線群シール部３５は、電線群挿入口被覆部３４よりも小径とされ、電線群Ｗを密着状態で被覆する。
【００３５】
拡径部３２は、フランジ部２２をフランジ被覆部３１で被覆することによって形成され、パネル部材Ｐの取付孔Ｈより大径になるように構成されている。
【００３６】
電線群挿入口被覆部３４と電線群シール部３５とは、筒状部材であり、内部に、電線群Ｗを挿通させる連通孔４を有する。また、グロメット１は、パネル部材Ｐの取付孔Ｈに挿入される挿入壁部２１を有し、挿入壁部２１に第１係止部２５及び第２係止部２６が一体に形成されている。
【００３７】
なお、上述したパネル部材Ｐの取付孔Ｈよりも大径の拡径部３２と、パネル部材Ｐに対向する拡径部３２の取付面３２ａ側に設けた環状シールリップ部３３と、パネル部材Ｐの取付孔Ｈに挿入される筒状の挿入壁部２１と、は本発明に係る筒状のグロメット本体を構成している。
【００３８】
次に、本実施の形態に係るグロメット１のパネル部材Ｐへの装着方法を説明する。
【００３９】
先ず、図２に示すように、第１係止部２５は、グロメット１を装着するときに、パネル部材Ｐの取付孔Ｈより挿入され、先端部２５Ｂと拡径部３２とでパネル部材Ｐの取付孔Ｈの図示下側を挟むように位置される。
【００４０】
次に、図２の矢印Ａを力点とし、グロメット１を取付孔Ｈに向けて押し込むと、第１係止部２５の先端部２５Ｂとパネル部材Ｐとの当接点を回動支点とし、挿入壁部２１が取付孔Ｈに嵌め込まれていく。
【００４１】
そして、グロメット１を取付孔Ｈに向けて引き続き押し込むと、図１に示すように、第１係止部２５とは反対側の係止爪２６ａが取付孔Ｈの開口縁部に係止し、グロメット１が取付孔Ｈに嵌め込まれる。
【００４２】
以上のように、本実施の形態によれば、グロメット１は、第１係止部２５の先端部２５Ｂが環状シールリップ部３３の半径方向外方側に位置することにより、グロメット１の取り付け開始時における第１係止部２５の視認性を向上することができる。また、グロメット１は、パネル部材Ｐに取り付ける際に、第１係止部２５を取付孔Ｈに先に通し、その第１係止部２５の先端部２５Ｂとパネル部材Ｐとの当接点を回動支点にしてグロメット１を回動させ、第１係止部２５の反対側に配置した第２係止部２６をパネル部材Ｐに係止させることでパネル部材Ｐに取り付けることができる。
【００４３】
より具体的には、挿入壁部２１の取付孔Ｈに嵌め込まれていく箇所は、挿入壁部２１の図示下端より始まり、次第に図示上方に及んで嵌め込まれていく。この際、本実施の形態においては、環状シールリップ部３３よりも径方向外側、すなわち、第１係止部２５の先端部２５Ｂとパネル部材Ｐとの当接部位をグロメット１の回動支点としている。したがって、図２の矢印Ａで示す力点は、回動支点から最も遠い位置とすることができる。これにより、てこの原理で力点に作用させる押し込み力は小さくて済む。
【００４４】
これにより、グロメット１の取り付け開始時における第１係止部２５及び第２係止部２６の視認性の向上とその取り付け作業時の挿入力の軽減とを両立させることができ、取り付け作業性に優れたものとすることができる。
【００４５】
また、第１係止部２５を切除して従来のグロメットと同等の構成のグロメットとして直線的に取付孔に取り付けた場合に比べ、本実施の形態では、１５〜２０％の押し込み力でグロメット１を取付孔Ｈに嵌め込むことができた。
【００４６】
また、挿入壁部２１に第１係止部２５及び第２係止部２６を一体に形成しているので、グロメット１の製作コストを減少させることができる。また、グロメット１の強度を高めることもできる。
【００４７】
また、挿入壁部２１と一体の第１係止部２５、第２係止部２６等及びフランジ部２２を硬質材料で構成することができる。また、取付孔Ｈにグロメット１を装着して取付孔Ｈよりも外側で環状シールリップ部３３をパネル部材Ｐに当接させた際には、挿入壁部２１よりも軟質の弾性材料で構成された環状シールリップ部３３をフランジ部２２で支持することができるので、シール性を確保することができる。
【００４８】
ところで、上記実施の形態では、パネル部材Ｐの取付孔Ｈは、例えば、板金の打ち抜き等による単なる開口として図示したが、例えば、図４に示すように、取付孔Ｈの開口周縁部を屈曲させて厚みをもたせたパネル部材Ｐ'に適用することも可能である。
【００４９】
以上説明したように、本発明に係るグロメットは、グロメットの取り付け開始時における係止部の視認性の向上とその取り付け作業時の挿入力の軽減とを両立させることのできる取り付け作業性に優れたグロメットとすることができるという効果を有し、車体パネルに開口する取付孔に装着されたとき、その取付孔に挿通されるワイヤハーネス等を保護するとともに取付孔を水密的に封止するグロメット、例えば、経路が蛇行している環境で配索するワイヤハーネス用の等、グロメット全般に有用である。
【符号の説明】
【００５０】
Ｐ  パネル部材
Ｈ  取付孔
２１  挿入壁部
２２  フランジ部
２５  第１係止部
２５Ａ  基端部
２５Ｂ  先端部
２６  第２係止部
３２  拡径部
３２ａ  取付面
３３  環状シールリップ部
【図１】
2014212675.tif 000003
【図２】
2014212675.tif 000004
【図３】
2014212675.tif 000005
【図４】
2014212675.tif 000006
【図５】
2014212675.tif 000007